(57)【要約】【課題】コネクタから抜き取りを必要とするコネクタピンだけを限定的にコネクタから抜き取り可能なピン抜き工具を提供する。【解決手段】ピン抜き工具１０は、コネクタ４の外壁を挟持する構造を有し、一方がコネクタ４のロック穴６に挿入するとともにコネクタピン７のロック爪８を押下げて引っ掛かりを解除する解除部１１と、他方がコネクタ４の下面４ｂに接触してコネクタ４を支持する支持部１２とを備えているため、配線９の接続良否の確認などといったコネクタ４から抜き取りを必要とするコネクタピン７だけを限定的にコネクタ４から抜き取ることができる。よって、コネクタ４に対するコネクタピン７の抜き差し作業を効率よく行うことが可能となる。【選択図】図２
2015170501.tif 000002
【特許請求の範囲】
【請求項１】
ケーブルが接続されコネクタに差し込まれたコネクタピンを該コネクタから抜き取るピン抜き工具であって、
該コネクタは、該コネクタピンを固定するためのロック穴を備え、
該コネクタピンは、該ロック穴に引っ掛けて該コネクタピンを該コネクタに固定させるロック爪を備え、
該ロック穴に挿入して該ロック爪を押し下げることにより該ロック穴と該ロック爪との引っ掛かりを解除する解除部と、
該コネクタの外壁に接触して該コネクタを支持する支持部と
で該コネクタを挟持する構造としたピン抜き工具。
【請求項２】
前記コネクタから前記コネクタピンを抜き取る際に前記ロック爪の押下げを所定の押下げ量に制限する押下げ制限部を備えた請求項１記載のピン抜き工具。
【請求項３】
前記コネクタから前記コネクタピンを抜き取る際の前記ロック爪の押下げによって変形した該ロック爪を再生させるロック爪再生部を備えた請求項１または２記載のピン抜き工具。
【発明の詳細な説明】
【技術分野】
【０００１】
本発明は、コネクタからコネクタピンを抜き取る工具に関する。
【背景技術】
【０００２】
電子機器等に搭載されるプリント基板に電線を接続するために、例えば、複数のコネクタピンが配列されて装着されたコネクタを用いている。コネクタは、コネクタピンに形成される爪部が引っ掛かる爪穴と、コネクタピンが差し込まれる差し込み穴とを備えている。プリント基板に電線を接続する際は、まず、コネクタピンに配線を圧着し、そのコネクタピンをコネクタの差し込み穴から差し込んでコネクタピンの爪部をコネクタの爪穴に引っ掛けてコネクタにコネクタピンを固定する。次いで、コネクタピンが装着されたコネクタをプリント基板側のコネクタに接続することにより、プリント基板とコネクタピンの配線とが接続される。
【０００３】
ここで、プリント基板側のコネクタに接続されたコネクタに接続不良が発生した場合には、コネクタから接続不良の原因となっているコネクタピンを抜き取る作業が必要とある。また、コネクタに複数接続される配線のうち例えば１本の配線だけが断線した場合には、コネクタから１つのコネクタピンだけを抜き取る作業が必要となる。
【０００４】
従来においては、コネクタからコネクタピンを１、２本だけ抜き取る際には、プリント基板側のコネクタに接続されているコネクタを取り外すとともに配線とコネクタとを作業者の手元に引き出して、ピン抜き工具（例えばピンセットや針金等）を使用してコネクタからコネクタピンを抜き取る作業を行っているが、作業効率が悪くてやりづらいという問題がある。
【０００５】
そこで、下記の特許文献１では、コネクタピンを抜き取る工具として手持ちタイプのピン抜き工具が開示されている。このピン抜き工具は、略線対称の顎部１１と柄部１２とを有し、下顎１１ａにコネクタが載置される載置台座１５を備えるとともに上顎１１ｂに載置台座１５に対向して固着された突起台座１６を備えており、突起台座１６には、長手方向にコネクタの爪穴５ａの間隔に複数の突起１６ａを一連に並設してあり、突起１６ａが該爪穴５ａに係止されているコネクタピンの爪部４ａに当接するように構成されている。そして、作業者の指でピン抜き工具を挟むことにより載置台座１５と突起台座１６とでコネクタを挟み、全ての爪部４ａを一連の突起１６ａで押下げてコネクタから複数のコネクタピンを抜き取ることが可能となっている。
【先行技術文献】
【特許文献】
【０００６】
【特許文献１】特開平０９−０１１１５１号公報
【発明の概要】
【発明が解決しようとする課題】
【０００７】
しかしながら、上記特許文献１に示すピン抜き工具を使用すると、コネクタから複数のコネクタピンを容易に抜き取ることができるものの、抜き取る必要が無いコネクタピンまでも抜き取ってしまうことがあり、コネクタに対するコネクタピンの抜き差し作業の効率が良くないという問題がある。
【０００８】
本発明は、上記の事情にかんがみてなされたものであり、配線の接続不良や配線の接続良否の確認など、コネクタから抜き取りを必要とするコネクタピンだけをコネクタから抜き取り可能にすることを目的としている。
【課題を解決するための手段】
【０００９】
本発明は、ケーブルが接続されコネクタに差し込まれたコネクタピンを該コネクタから抜き取るピン抜き工具であって、該コネクタは、該コネクタピンを固定するためのロック穴を備え、該コネクタピンは、該ロック穴に引っ掛けて該コネクタピンを該コネクタに固定させるロック爪を備え、該ロック穴に挿入して該ロック爪を押し下げることにより該ロック穴と該ロック爪との引っ掛かりを解除する解除部と、該コネクタの外壁に接触して該コネクタを支持する支持部とで該コネクタを挟持する構造としている。
【００１０】
本発明は、上記コネクタから上記コネクタピンを抜き取る際に上記ロック爪の押下げを所定の押下げ量に制限する押下げ制限部を備える構成が望ましい。
【００１１】
さらに、本発明は、上記コネクタから上記コネクタピンを抜き取る際の上記ロック爪の押下げによって変形した該ロック爪を再生させるロック爪再生部を備える構成とすることが望ましい。
【発明の効果】
【００１２】
本発明のピン抜き工具は、コネクタの外壁を挟持する構造を有し、作業者の指でピン抜き工具を挟むことにより、挟持部でコネクタの下側を支持するとともに、解除部でコネクタのロック穴に引っ掛かっているコネクタピンのロック爪を押下げてロック爪によるロックを解除できる構成となっているため、抜き取りを必要とするコネクタピンだけを限定的にコネクタから抜き取ることができる。よって、コネクタに対するコネクタピンの抜き差し作業を容易にかつ効率よく行うことができる。
【００１３】
また、ピン抜き工具は、上記コネクタから上記コネクタピンを抜き取る際に上記ロック爪の押下げを所定の押下げ量に制限する押下げ制限部を備えているため、ロック爪を必要以上に押下げてしまうことがなく、ロック爪が変形してしまうおそれを低減できる。
【００１４】
さらに、ピン抜き工具は、変形したロック爪を再生させるロック爪再生部を備えているため、仮にロック爪が押下げによって変形してしまっても、ロック爪再生部によってロック爪を起こして再生しコネクタピンを再利用することができる。
【図面の簡単な説明】
【００１５】
【図１】基板に実装された基板側コネクタとこれに挿入されるコネクタとコネクタピンとの一例を示す斜視図である。
【図２】ピン抜き工具の一例を示す斜視図である。
【図３】ピン抜き工具の一例を示す断面図である。
【図４】コネクタピンを挿入側コネクタに装着する状態を示す断面図である。
【図５】ピン抜き工具を用いて挿入側コネクタからコネクタピンを抜き取る状態を示す断面図である。
【図６】ピン抜き工具によって挿入側コネクタからコネクタピンを抜き取った後の状態を示す斜視図である。
【図７】変形したコネクタピンのロック爪を再生させる状態を示す断面図である。
【発明を実施するための形態】
【００１６】
図１に示す基板１は、各種の電気機器に搭載されて使用されるプリント基板の一例であり、基板１の上面には、基板１に配線接続をするための箱状の基板側コネクタ２が実装されている。基板側コネクタ２の内部には、コネクタ４を挿入するための開口部３が形成されている。開口部３には、複数の端子３０が並列状態で設けられている。
【００１７】
コネクタ４は、コネクタピン７を差し込むための複数の差し込み口５と、コネクタ４の上面から個々の差し込み口５に向けて差し込み口５の長手方向に対して直交する方向に貫通しコネクタピン７を固定するための複数のロック穴６とを備えている。ロック穴６は、所定の長さ及び幅を有しており、それぞれの差し込み口５に差し込まれたコネクタピン７と対応する位置にそれぞれ形成されている。
【００１８】
コネクタピン７は、例えば金属により形成されており、コネクタピン７の一端部には、差し込み口５に差し込む凸状の差し込み部７ａを備えており、コネクタピン７の他端部には、ケーブルを構成する配線９をコネクタピン７に圧接して接続するための圧接部７ｂを備えている。コネクタピン７は、差し込み部７ａと圧接部７ｂとの間において、先端が圧接部７ｂ側に向けて斜め上側に向いたロック爪８を備えている。ロック爪８についても例えば金属により形成されている。このように構成されるコネクタピン７は、差し込み口５に挿入しロック爪８をコネクタ４のロック穴６に引っ掛けることでコネクタ４に固定することができる。
【００１９】
図２及び図３に示すピン抜き工具１０は、図１で示したコネクタ４に装着されるコネクタピン７を抜き取る工具の一例であり、Ｕ字状の板バネ構造の本体部１００を備えている。ピン抜き工具１０の本体部１００は、図３に示すように、上側部材１００ａと、これに対面した下側部材１００ｂと、上側部材１００ａと下側部材１００ｂとをつなげる湾曲した基部１００ｃとを有しており、図１で示したコネクタ４の外壁（コネクタ４の上下面）を挟持できる構造となっている。なお、図示の例におけるピン抜き工具１０では、上側部材１００ａと下側部材１００ｂとを作業者の指先で挟むとともに上側部材１００ａを下方に押すことにより上側部材１００ａが下方に移動する構成となっている。
【００２０】
ピン抜き工具１０は、上側部材１００ａにおいて下方に突出した解除部１１と、下側部材１００ｂにおいて図１で示したコネクタ４を支持する支持部１２とを備えている。解除部１１は、図１で示したコネクタ４のロック穴６に挿入可能な大きさに形成されている。すなわち、解除部１１の長さ及び幅は、ロック穴６の長さ及び幅よりも小さく形成されている。なお、解除部１１及びロック穴６の長さとは、図３における水平方向、すなわち、ピン抜き工具１０の長さ方向であり、解除部１１及びロック穴６の幅とは、図３における紙面に垂直な方向、すなわち、ピン抜き工具１０の短手方向である。支持部１２の上面は、コネクタ４の外壁の一部である下面に接触する挟持面１２ａとなっている。コネクタ４に装着されたコネクタピン７を抜き取る際は、支持部１２でコネクタ４を下方から支持しつつ、解除部１１でコネクタピン７のロック爪８を押し下げてロック穴６におけるロック爪８によるロック（ロック爪８によってコネクタ４にコネクタピン７を固定した状態）を解除することでコネクタピン７の抜き取りが可能となる。
【００２１】
また、ピン抜き工具１０は、解除部１１によるロック爪８の押下げ量を制限する押下げ制限部１３を備えている。押下げ制限部１３は、図３に示すように、上側部材１００ａの下面であり、支持部１２の挟持面１２ａと対面している。押下げ制限部１３は、コネクタ４の上面４ａに当接することでコネクタピン７のロック爪８を必要以上に押し下げないように制限できる。
【００２２】
上側部材１００ａの中央付近には、下方に伸びる柱状の維持部１４を備えている。維持部１４は、その先端を折り曲げた引っ掛け部１４０を備えている。引っ掛け部１４０は、本体部１００の基部１００ｃ側に向けて屈曲している。下側部材１００ｂにおける維持部１４が配設された位置と対向する位置には、維持部１４が挿通可能な挿通孔１５が形成されている。挿通孔１５は、基部１００ｃ側の側面が、下に下がるにつれて基部１００ｃから離れる方向に傾斜した斜面となっており、引っ掛け部１４０の先端を斜め下方に向けて案内できる形状となっている。維持部１４は、引っ掛け部１４０を下側部材１００ｂの下面に引っ掛けることにより、上側部材１００ａと支持部１２とで図１に示したコネクタ４を挟んだ状態を維持することができる。
【００２３】
さらに、ピン抜き工具１０は、下側部材１００ｂの先端において、図１に示したコネクタ４からコネクタピン７を抜き取る際にロック爪８を押し下げることによって変形したロック爪８を再生させるロック爪再生部１６を備えている。図示の例では、ロック爪再生部１６は、三角柱形状に形成されているが、この形状に限定されるものではない。
【００２４】
次に、コネクタ４にコネクタピン７を差し込む動作について説明する。まず、図４（ａ）に示すように、コネクタピン７の圧接部７ｂに配線９を通し、圧接して接続する。図４（ｂ）に示すように、コネクタピン７に配線９を接続したら、コネクタピン７を、差し込み部７ａ側からコネクタ４の差し込み口５に差し込む。
【００２５】
図４（ｃ）に示すように、コネクタピン７をコネクタ４の内部に進入させると、ロック爪８が、コネクタ４のロック穴６から突出するとともに、ロック爪８の先端がロック穴６の内壁４ｃに引っ掛かる。その結果、コネクタ４においてコネクタピン７が固定されて装着される。なお、コネクタピン７が装着されたコネクタ４を図１で示した基板１に配線接続する際には、基板１に配設された基板側コネクタ２の開口部３にコネクタ４を挿入する。
【００２６】
図２及び図３で示したピン抜き工具１０を用いてコネクタ４からコネクタピン７を抜き取る動作について説明する。まず、作業者は、図５（ａ）に示すように、コネクタピン７が装着されたコネクタ４をピン抜き工具１０の支持部１２の挟持面１２ａに載置する。
【００２７】
その後、図２に示すように、作業者は、指先でピン抜き工具１０の上側部材１００ａと下側部材１００ｂとを挟むとともに上側部材１００ａを下方に押し下げる。そうすると、図５（ｂ）に示すように、支持部１２の挟持面１２ａでコネクタ４の下面４ｂを下方から支持するとともに、上側部材１００ａの降下にともない解除部１１が下方に移動し、ロック穴６の内壁４ｃに引っ掛かっているロック爪８を解除部１１で押し下げることができる。このようにしてロック爪８によるロックを解除する。
【００２８】
このとき、解除部１１の押下げによってロック爪８は沈むように変形するが、ピン抜き工具１０の押下げ制限部１３がコネクタ４の上面４ａに接触するため、解除部１１の降下を制限して解除部１１でロック爪８の上部を必要以上に押圧しすぎることはなく、ロック爪８が過度に変形するのを低減できる。
【００２９】
また、上側部材１００ａの降下にともない維持部１４が挿通孔１５に挿通するとともに、引っ掛け部１４０を下側部材１００ｂの下面に引っ掛けることで、上側部材１００ａと支持部１２との間でコネクタ４を挟持した状態を維持する。
【００３０】
ロック爪８によるロックを解除した後、作業者は、図５（ｃ）に示すように、ピン抜き工具１０を挟んだまま、解除部１１でロック爪８を下方に押圧しながら、解除部１１をロック穴６においてコネクタピン７をコネクタ４に差し込んだ方向と逆の方向である抜き取り方向にコネクタピン７をスライドさせる。ここで、ロック穴６の長さは、解除部１１よりも長いため、解除部１１でロック爪を押しながら解除部１１をロック穴６の内壁４ｃに当接するまでスライドさせることができ、解除部１１で下方に押し下げたロック爪８の先端を抜き取り方向に押し出すことができる。ピン抜き工具１０はコネクタ４を挟持した状態を維持しているので、コネクタピン７を片手でスライドさせる事も可能である。コネクタピン７の抜き取り動作は、図１に示した基板側コネクタ２からコネクタ４を離間させた状態で行うことができ、必ずしもコネクタ４を作業者の手元に引き出さなくてもよい。
【００３１】
その後、図５（ｄ）に示すように、コネクタ４の差し込み口５からコネクタピン７を抜き取る。このようにして、図６に示すコネクタ４に備える複数の差し込み口５に差し込まれたコネクタピン７のうち、抜き取りが必要なコネクタピン７だけを指定してコネクタ４から抜き取ることができる。また、引っ掛け部１４０を下側部材１００ｂの下面に引っ掛けて上側部材１００ａと支持部１２との間でコネクタ４を固定した状態を維持することで、ピン抜き工具１０から手を離しても、コネクタピン７を抜き取ることができるため、作業性が向上する。
【００３２】
コネクタ４からコネクタピン７を抜き取った後は、配線９の接続良否の確認や接続不良のコネクタピン７の修理などを行う。そして、修理したコネクタピン７を上記した差し込み動作と同様の動作によってコネクタ４に差し込む。
【００３３】
次に、図５（ｂ）で示した解除部１１によってロック爪８のロックを解除するときに沈むように変形したロック爪８を元の形態に再生させる動作について説明する。作業者は、図７（ａ）に示すように、ピン抜き工具１０のロック爪再生部１６を変形したロック爪８ａ側に向けるとともに、図７（ｂ）に示すように、ロック爪再生部１６をコネクタピン７の底部に当接させる。
【００３４】
次いで、ロック爪８ａとコネクタピン７の底部との間に形成されている隙間１７にロック爪再生部１６を嵌入させることにより、ロック爪８ａを押し上げて起こす。その結果、図７（ｃ）に示すロック爪８ｂのように、その先端側が上向きになった元の形態に再生できる。そして、このように再生されたロック爪８ｂを備えるコネクタピン７は図６に示したコネクタ４に差し込み可能となって再利用できる。
【００３５】
以上のとおり、本発明のピン抜き工具１０では、作業者の指で上側部材１００ａと下側部材１００ｂとを挟むことにより、支持部１２でコネクタ４の下面４ｂを支持するとともに、解除部１１でコネクタピン７のロック爪８を押下げてロック爪８でのロックを解除させることができる構成となっているため、配線９の接続良否の確認などといったコネクタ４から抜き取りを必要とするコネクタピン７だけをコネクタ４から抜き取ることができる。
これにより、コネクタ４に対するコネクタピン７の抜き差し作業を効率よく行えるようになる上、修理後のコネクタピン７を装着したコネクタ４を基板１に接続する作業の効率も良くなる。
【符号の説明】
【００３６】
１：基板  ２：基板側コネクタ  ３：開口部
４：コネクタ  ４ａ：上面  ４ｂ：下面  ４ｃ：内壁  ５：差し込み口
６：ロック穴  ７：コネクタピン  ７ａ：差し込み部  ７ｂ：圧接部
８，８ａ，８ｂ：ロック爪  ９：配線
１０：ピン抜き工具  １００：本体部  １００ａ：上側部材  １００ｂ：下側部材
１１：解除部  １２：支持部  １２ａ：挟持面  １３：押下げ制限部
１４：維持部  １４０：引っ掛け部  １５：挿通孔  １６：ロック爪再生部
１７：隙間
【図１】
2015170501.tif 000003
【図２】
2015170501.tif 000004
【図３】
2015170501.tif 000005
【図４】
2015170501.tif 000006
【図５】
2015170501.tif 000007
【図６】
2015170501.tif 000008
【図７】
2015170501.tif 000009